(57)【要約】【課題】  複数のバックエンドの何れもサポートする一つのフロントエンドに対して、あるバックエンドを接続すると、複数のバックエンドのうちフロントエンドに接続されていないバックエンドが、フロントエンドへアクセスすると不具合が生じることがある。【解決手段】  ロントエンド７に対し、ＣＤ−ＲＯＭ、ＣＤ−Ｒ、ＣＤ−ＲＷ用バックエンド８が接続されるようにするには、交換回路１５を端子ａとｃ、端子ｂとｄが直結する場合を選択する。すると、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用バックエンド９は、交換回路１５により疑似フロントエンド回路１６と接続される。疑似フロントエンド回路１６は、バックエンド９からのステータス問い合わせに対し、常にビジーステータスを返す。従って、バックエンド９は見掛け上、フロントエンド７とは未接続の状態とはならず、待ちの状態に入ることができる。【選択図】            図１
2005209255.tif 000002
【特許請求の範囲】
【請求項１】
Ｎ種類（Ｎは一又は二以上の整数）のメディアに、個別にデータを記録再生する装置であるＮ個のフロントエンドと、記録するデータや再生されたデータを処理する信号処理装置である（Ｍ＋Ｎ）個（Ｍは一又は二以上の整数）のバックエンドと、それらを連結するインタフェースを備えた複合メディア記録再生信号処理装置であって、
接続された前記バックエンドからのステータス問い合わせに対して、常にビジーステータスを応答する、全部でＭ個の擬似フロントエンド回路と、
前記（Ｍ＋Ｎ）個のバックエンドのうち任意に選択したＮ個のバックエンドを、そのバックエンドをサポートする構成のＮ個の前記フロントエンドに別々に前記インタフェースを介して接続し、かつ、残りのＭ個のバックエンドを前記擬似フロントエンド回路に別々に、前記インタフェースを介して接続する選択回路と
を有することを特徴とする複合メディア記録再生信号処理装置。
【発明の詳細な説明】
【技術分野】
【０００１】
本発明は複合メディア記録再生信号処理装置に係り、特に共通のインタフェースを持つＮ種類（Ｎは一又は二以上の整数）の方式のメディア記録再生信号処理装置で構成される複合メディア記録再生信号処理装置に関する。
【背景技術】
【０００２】
一般に、光ディスク等のメディアの記録再生信号処理装置では、メディアに記録再生を行いデータを読み書きするブロックをフロントエンド、そのフロントエンドからのデータを信号処理し映像信号等に変換するブロックをバックエンドと呼び、その２つのブロックを標準インタフェースで接続する構成になっている。
【０００３】
標準インタフェースの代表的なものは、ＡＴＡ(AT Attachment)／ＡＴＡＰＩ(AT Attachment Packet Interface)、またはＩＤＥ（Intelligent Drive Electronics）と呼ばれるもので、殆どの光ディスク装置やハードディスク装置は、このインタフェースを有している。光ディスク装置においては、メディアや記録方式の違いで電気的回路は異なるものの、機構的な構造は同様なものが多い。光ディスクメディアとしては、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ等がある。
【０００４】
例えば、ＣＤレコーダと呼ばれる記録再生装置は、図５に示すように、ＣＤ−ＲＯＭ、ＣＤ−Ｒ、ＣＤ−ＲＷ用フロントエンド１と、ＣＤ−ＲＯＭ、ＣＤ−Ｒ、ＣＤ−ＲＷ用バックエンド２とがＩＤＥインタフェース３により双方向に接続されており、フロントエンド１によりＣＤ−ＲＯＭ、ＣＤ−Ｒ又はＣＤ−ＲＷに対して映像信号や音声信号を記録したり、記録された映像信号や音声信号を再生する。
【０００５】
また、バックエンド２は記録する映像信号や音声信号を記録に適した信号形態やフォーマットに変換してＩＤＥインタフェース３を介してフロントエンド１へ供給して記録させ、また、フロントエンド１によりＣＤ−ＲＯＭ、ＣＤ−Ｒ又はＣＤ−ＲＷから再生された映像信号や音声信号がＩＤＥインタフェース３を介して供給され、所定の再生信号処理を行う。
【０００６】
また、ＤＶＤレコーダと呼ばれる記録再生装置は、図６に示すように、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用フロントエンド４とＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用バックエンド５とが、ＩＤＥインタフェース６により双方向に接続されており、フロントエンド４によりＤＶＤ−ＲＯＭ、ＤＶＤ−ＲＡＭ、ＤＶＤ−Ｒ、ＤＶＤ−ＲＷ、ＤＶＤ＋Ｒ又はＤＶＤ＋ＲＷに対して映像信号や音声信号を記録したり、記録された映像信号や音声信号を再生する。
【０００７】
また、バックエンド５は記録する映像信号や音声信号を記録に適した信号形態やフォーマットに変換してＩＤＥインタフェース６を介してフロントエンド４へ供給して記録させ、また、フロントエンド４によりＤＶＤ−ＲＯＭ、ＤＶＤ−ＲＡＭ、ＤＶＤ−Ｒ、ＤＶＤ−ＲＷ、ＤＶＤ＋Ｒ又はＤＶＤ＋ＲＷから再生された映像信号や音声信号がＩＤＥインタフェース６を介して供給され、所定の再生信号処理を行う。
【０００８】
これらの２つのレコーダを複合する場合、フロントエンドの部分は共用化が可能なため、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷの全てのメディアに対応することが可能である。しかしながら、バックエンドの信号処理に関しては、回路構成やファームウェアが異なっており、２つを統合するのには、たいへんな開発工数がかかってしまう。
【０００９】
そこで、単純には、図７に示すように、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷの全てのメディアに対応する１つのフロントエンド７に対して、ＣＤ−ＲＯＭ、ＣＤ−Ｒ、ＣＤ−ＲＷ用バックエンド８と、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用バックエンド９の計２つのバックエンドを用意し、切換回路１０で、フロントエンド７とバックエンド８又は９の間のＩＤＥインタフェース１１を切り換える構成が考えられる。
【００１０】
なお、パーソナルコンピュータ等の情報処理装置と、外部記憶装置やプリンタなどの周辺装置を接続する際に、周辺装置に接続されるコネクタと、情報処理装置内の複数のインタフェース回路との間に設けられた切換手段の切換部に切換信号を入力して、コネクタと選択した一のインタフェース回路とを接続する共通インタフェース回路において、コネクタに接続する装置に切換信号発生手段を設けて、これにより発生した切換信号を上記の切換部に入力して自動切換えを行うと共に、コネクタに接続されないインタフェース回路をダミー回路に接続するようにした共通インタフェース回路が従来知られている（例えば、特許文献１参照）。
【００１１】
【特許文献１】実開平５−７１９２６号公報
【発明の開示】
【発明が解決しようとする課題】
【００１２】
しかしながら、図７に示した構成では、切換回路１０によって選択された一方のバックエンド８又は９は問題なく動作するが、選択されていない他方のバックエンド９又は８はフロントエンド７が接続されていない状態となる。従って、選択されていないバックエンドがフロントエンド７へのアクセスが行われると不具合が生じることがあった。
【００１３】
この不具合としては、例えば、フロントエンド７に接続されていない方のバックエンドがフロントエンド７に対して、現在どのような状態にあるかを問い合わせるステータス問い合わせをした場合、フロントエンド７と当該バックエンドとは接続されていない状態であるので、フロントエンド７は応答することができない。そのため、当該バックエンドはフロントエンド７が応答していないと判断し、フロントエンド７からの応答を待つ状態が続いたり、適切な処理ができないことが生じる。
【００１４】
上記の不具合が生じないようにするため、一般的には、フロントエンド７が選択されていない場合の対応をバックエンド８及び９に組み込む。しかし、これにはハードウェアやソフトウェアの変更が必要であり、例えば、その技術内容が公開されていなかったり、変更が認められていない場合があり、実現が非常に困難になることがある。
【００１５】
また、特許文献１記載の共通インタフェース回路では、一つのコネクタに接続される周辺装置に適合する一つのインタフェース回路を、複数のインタフェース回路の中から選択して切換接続するための回路であり、本発明のような同一方式のインタフェースを切り換えて選択したバックエンドを同一のフロントエンドに接続する複合メディア記録再生信号処理装置の構成ではない。
【００１６】
本発明は以上の点に鑑みなされたもので、バックエンドのハードウェアやソフトウェアに変更を加えることなく、選択されていないバックエンドによるフロントエンドへのアクセスによる不具合を防止し得る複合メディア記録再生信号処理装置を提供することを目的とする。
【課題を解決するための手段】
【００１７】
上記の目的を達成するため、本発明は、Ｎ種類（Ｎは一又は二以上の整数）のメディアに、個別にデータを記録再生する装置であるＮ個のフロントエンドと、記録するデータや再生されたデータを処理する信号処理装置である（Ｍ＋Ｎ）個（Ｍは一又は二以上の整数）のバックエンドと、それらを連結するインタフェースを備えた複合メディア記録再生信号処理装置であって、接続されたバックエンドからのステータス問い合わせに対して、常にビジーステータスを応答する、全部でＭ個の擬似フロントエンド回路と、（Ｍ＋Ｎ）個のバックエンドのうち任意に選択したＮ個のバックエンドを、そのバックエンドをサポートする構成のＮ個のフロントエンドに別々にインタフェースを介して接続し、かつ、残りのＭ個のバックエンドを擬似フロントエンド回路に別々に、インタフェースを介して接続する選択回路とを有する構成としたものである。
【００１８】
この発明では、フロントエンドに接続されないバックエンドを擬似フロントエンド回路に接続し、そのバックエンドからのステータス問い合わせに対して、擬似フロントエンド回路から常にビジーステータスを応答するようにしたため、フロントエンドに接続されないバックエンドも、見掛け上ビジーステータスを出力するフロントエンドに接続されたと等価にできる。
【発明の効果】
【００１９】
本発明は、フロントエンドに接続されないバックエンドを擬似フロントエンド回路に接続し、そのバックエンドからのステータス問い合わせに対して、擬似フロントエンド回路から常にビジーステータスを応答することにより、フロントエンドに接続されないバックエンドも、見掛け上、ビジーステータスを出力するフロントエンドに接続されたと等価の構成としたため、バックエンドに変更を与えずに、フロントエンドに接続されないバックエンドによりフロントエンドへのアクセスが行われたときの不具合を防止することができる。
【００２０】
また、本発明によれば、複合メディア記録再生信号処理装置の開発期間を、Ｎ種類のメディア共用バックエンドを開発する場合と、既開発済みの各メディア用バックエンドを利用した場合に比べて、大幅に短縮することができる。更に、本発明によれば、バックエンド部分が独自開発のシステムでなくても、利用可能とすることができる。
【発明を実施するための最良の形態】
【００２１】
次に、本発明を実施するための最良の形態について図面と共に説明する。図１は本発明になる複合メディア記録再生信号処理装置の第１の実施の形態のブロック図を示す。同図中、図７と同一構成部分には同一符号を付し、その説明を省略する。本実施の形態は、図７の従来装置と比較すると、図７の切換回路１０の替わりに交換回路１５を有し、また２つのバックエンド８及び９に対して、１つのフロントエンド７と１つの擬似フロントエンド回路１６を有している点に特徴がある。
【００２２】
すなわち、本実施の形態では、図１に示すように、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷの全てのメディアに対応するフロントエンド７があり、それに接続されるバックエンドとして、ＣＤ−ＲＯＭ、ＣＤ−Ｒ、ＣＤ−ＲＷ用のバックエンド８と、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用のバックエンド９があり、さらに疑似フロントエンド回路１６とそれらの接続を組み合わせる交換回路１５がある。この交換回路１５は、端子ａと端子ｃが直結し、かつ、端子ｂと端子ｄが直結する場合と、端子ａと端子ｄが直結し、かつ、端子ｂと端子ｃが直結する場合のいずれか一方に選択できる。
【００２３】
今、フロントエンド７に対し、ＣＤ−ＲＯＭ、ＣＤ−Ｒ、ＣＤ−ＲＷ用バックエンド８が接続されるようにするには、交換回路１５を端子ａとｃ、端子ｂとｄが直結する場合を選択する。すると、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用バックエンド９は、交換回路１５により疑似フロントエンド回路１６と接続される。
【００２４】
この疑似フロントエンド回路１６は、図２に示すように、バックエンド９からのステータス問い合わせに対し、常にビジー（ｂｕｓｙ）のステータスを返す。従って、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用バックエンド９は見掛け上、フロントエンド７とは未接続の状態とはならず、バックエンド９がフロントエンド７に問い合わせやリクエストのアクセスを行っても、待ちの状態に入ることができる。
【００２５】
他方、交換回路１５を端子ａとｄ、端子ｂとｃが直結する方を選択すると、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用バックエンド９が交換回路１５を介してフロントエンド７に接続され、ＣＤ−ＲＯＭ、ＣＤ−Ｒ、ＣＤ−ＲＷ用バックエンド８が交換回路１５を介して疑似フロントエンド回路１６と接続される。この場合も、上記と同様に、疑似フロントエンド回路１６は、バックエンド８からの問い合わせに対し、常にビジー（ｂｕｓｙ）のステータスを返すので、バックエンド８は見掛け上、フロントエンド７と未接続とはならず、待ちの状態に入ることができる。
【００２６】
ところで、一般に、フロントエンド７とバックエンド８、９の接続インタフェースにはＩＤＥが用いられている。そして、ＡＴＡＰＩという仕様に準拠した通信を行っている。この場合、複数のデータで情報交換するパケットコマンドを使用しているので、疑似フロントエンド回路１６は、マイクロコンピュータで実現するのが最も容易であるが、ＰＬＤ（プログラマブル・ロジック・デバイス）やＡＳＩＣ（特定用途向け集積回路）でも実現可能である。
【００２７】
また、疑似フロントエンド回路１６が応答するバックエンド８、９からのＡＴＡＰＩコマンドの例としては、ＴＥＳＴ  ＵＮＩＴ  ＲＥＡＤＴＹコマンドや、ＲＥＱＵＥＳＴ  ＳＥＮＳＥコマンドがある。これに対し、疑似フロントエンド回路１６は、ステータスレジスタのＢＳＹ（デバイスビジー）を有効にして応答するものである。
【００２８】
本実施の形態によれば、フロントエンド７に接続されないバックエンドが疑似フロントエンド回路１６に接続されて、バックエンドからの問い合わせに対し、疑似フロントエンド回路１６から常にビジー（ｂｕｓｙ）のステータスを返すようにしているため、上記のバックエンドがフロントエンドに接続されていて、かつ、フロントエンドが何らかの要因でビジー状態である場合の応答と同等となる。このため、そのバックエンドは、フロントエンドが応答していると判断し、その後の処理を行う。従って、本実施の形態によれば、バックエンドのハードウェアやソフトウェアに変更を加えることなく、選択されていないバックエンドによるフロントエンドへのアクセスによる不具合を防止することができる。
【００２９】
また、本実施の形態の開発期間は、メディアＡ（ＣＤ−ＲＯＭ、ＣＤ−Ｒ、ＣＤ−ＲＷ）と、メディアＢ（ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ）の共用のバックエンドを開発する期間と、既開発済みのＡメディア用バックエンド８とＢメディア用バックエンド９を利用した場合に比べて大幅に短縮できる。なお、擬似フロントエンド回路１６は、レジスタアクセスやコマンド応答という単純なものなので、簡単な論理回路又はマイクロコンピュータで開発可能であるため、その設計期間は問題とならない。
【００３０】
なお、複合されるバックエンドの種類の例としては、
ＣＤ−ＲＯＭ、
ＣＤ−ＲＯＭ／ＣＤ−Ｒ／ＣＤ−ＲＷ、
ＣＤ−ＲＯＭ／ＤＶＤ−ＲＯＭ、
ＣＤ−ＲＯＭ／ＣＤ−Ｒ／ＣＤ−ＲＷ／ＤＶＤ−ＲＯＭ、
ＣＤ−ＲＯＭ／ＣＤ−Ｒ／ＣＤ−ＲＷ／ＤＶＤ−ＲＯＭ／ＤＶＤ−ＲＡＭ、
ＣＤ−ＲＯＭ／ＣＤ−Ｒ／ＣＤ−ＲＷ／ＤＶＤ−ＲＯＭ／ＤＶＤ−ＲＡＭ／ＤＶＤ−Ｒ、
ＣＤ−ＲＯＭ／ＣＤ−Ｒ／ＣＤ−ＲＷ／ＤＶＤ−ＲＯＭ／ＤＶＤ−ＲＷ、
ＣＤ−ＲＯＭ／ＣＤ−Ｒ／ＣＤ−ＲＷ／ＤＶＤ−ＲＯＭ／ＤＶＤ−Ｒ／ＤＶＤ−ＲＷ、
ＣＤ−ＲＯＭ／ＣＤ−Ｒ／ＣＤ−ＲＷ／ＤＶＤ−ＲＯＭ／ＤＶＤ−ＲＡＭ／ＤＶＤ−Ｒ／ＤＶＤ−ＲＷ、
ＣＤ−ＲＯＭ／ＣＤ−Ｒ／ＣＤ−ＲＷ／ＤＶＤ−ＲＯＭ／ＤＶＤ＋Ｒ／ＤＶＤ＋ＲＷ、
ＣＤ−ＲＯＭ／ＣＤ−Ｒ／ＣＤ−ＲＷ／ＤＶＤ−ＲＯＭ／ＤＶＤ−Ｒ／ＤＶＤ−ＲＷ／ＤＶＤ＋Ｒ／ＤＶＤ＋ＲＷ、
ＣＤ−ＲＯＭ／ＣＤ−Ｒ／ＣＤ−ＲＷ／ＤＶＤ−ＲＯＭ／ＤＶＤ−ＲＡＭ／ＤＶＤ−Ｒ／ＤＶＤ−ＲＷ／ＤＶＤ＋Ｒ／ＤＶＤ＋ＲＷ、
Ｂｌｕ−ｒａｙ  Ｄｉｓｃ、ＡＯＤ等が挙げられる。すなわち、１種類のみの複合もある。
【００３１】
次に、本発明の第２の実施の形態について説明する。図３は本発明になる複合メディア記録再生信号処理装置の第２の実施の形態のブロック図を示す。本実施の形態は、第１の実施の形態に比し交換の数を増やした実施の形態で、１つのフロントエンド２０に対し、３つのバックエンド２１、２２及び２３と、２つの疑似フロントエンド回路２４及び２５と、選択回路２６からなる。選択回路２６は、バックエンド２１〜２３のうち１つのバックエンドに対してフロントエンド２０を割り当て、残りの２つのバックエンドには、疑似フロントエンド回路２４、２５を割り当てるものである。バックエンド２１〜２３は、それぞれ異なる種類のメディアに対して記録再生する信号の信号処理を行う装置である。
【００３２】
次に、本発明の第３の実施の形態について説明する。図４は本発明になる複合メディア記録再生信号処理装置の第３の実施の形態のブロック図を示す。同図中、図３と同一構成部分には同一符号を付してある。図４に示す第３の実施の形態は、フロントエンドを２０及び２７の２つにし、疑似フロントエンド回路を２８の１つとし、バックエンドは２１、２２及び２３で示すように３つにした構成である。
【００３３】
フロントエンド２０及び２７は、それぞれ３つのバックエンド２１〜２３のうち２つ以上のバックエンドをサポートする構成であり、２つのフロントエンド２０及び２７の全体で３つのバックエンド２１〜２３をサポートできる構成とされていればよい。このため、フロントエンド２０及び２７は、それぞれ３つのバックエンド２１〜２３をサポートする同一の構成であってもよい。
【００３４】
選択回路２９は、３つのバックエンド２１〜２３のうち２つのバックエンドに対して、それらをサポートする異なるフロントエンド２０、２７を割り当て、残りの１つのバックエンドには、疑似フロントエンド回路２８を割り当てるものである。
【００３５】
これにより、本実施の形態も、フロントエンド２０及び２７のいずれにも接続されない１つのバックエンドが疑似フロントエンド回路２８に選択回路２９を介して接続され、そのバックエンドからの問い合わせに対し、疑似フロントエンド回路２８から常にビジー（ｂｕｓｙ）のステータスを返すようにすることにより、上記のバックエンドがフロントエンドに接続されていて、かつ、フロントエンドが何らかの要因でビジー状態である場合の応答と同等にできる。
【００３６】
なお、本発明は以上の実施の形態に限定されるものではなく、フロントエンドがＮ個（Ｎは一又は二以上）、擬似フロントエンド回路がＭ個（Ｍは一又は二以上）、バックエンドが（Ｎ＋Ｍ）個あり、選択回路（交換回路）がＮ個のバックエンドをフロントエンドにそれぞれ接続し、かつ、残りのＭ個のバックエンドを擬似フロントエンド回路に接続する構成であればよい。ただし、Ｎ個のフロントエンドは全体で（Ｎ＋Ｍ）個のバックエンドをサポートする構成であることが必要である。
【図面の簡単な説明】
【００３７】
【図１】本発明の第１の実施の形態のブロック図である。
【図２】図１の擬似フロントエンド回路とバックエンドの接続説明図である。
【図３】本発明の第２の実施の形態のブロック図である。
【図４】本発明の第３の実施の形態のブロック図である。
【図５】ＣＤレコーダの一例のブロック図である。
【図６】ＤＶＤレコーダの一例のブロック図である。
【図７】従来の一例のブロック図である。
【符号の説明】
【００３８】
７  ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用フロントエンド
８  ＣＤ−ＲＯＭ、ＣＤ−Ｒ、ＣＤ−ＲＷ用のバックエンド
９  ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ用のバックエンド
１１  ＩＤＥインタフェース
１５  交換回路
１６、２４、２５、２８  擬似フロントエンド回路
２０、２７  フロントエンド
２１、２２、２３  バックエンド
２６、２９  選択回路
【図１】
2005209255.tif 000003
【図２】
2005209255.tif 000004
【図３】
2005209255.tif 000005
【図４】
2005209255.tif 000006
【図５】
2005209255.tif 000007
【図６】
2005209255.tif 000008
【図７】
2005209255.tif 000009